(57)【要約】【課題】成形材料の付着を抑制できるフィルタ装置の提供。【解決手段】溶融状態の成形材料を供給する供給通路９０内に配置され、一面が上流側に面し、他の一面が下流側に面する網フィルタ１と、網フィルタ１の下流側に配置されるブレーカープレート２と、網フィルタ１とブレーカープレート２との間に配置され、供給方向Ｚと直交する第１の方向Ｙに延伸し、それぞれの板面が互いに平行となるように第１の所定間隔を空けて配置される複数の縦ブレード板３２１を有する縦板部３２と、縦板部３２のブレーカープレート２側に取付けられ、第１の方向Ｙ及び供給方向Ｚのいずれにも直交する第２の方向Ｘに延伸し、それぞれの板面が互いに平行となるように前記第１の所定間隔より広い第２の所定間隔を空けて配置される複数の横ブレード板３３１を有する横板部３３とを備える整流手段３とを備えていることを特徴とするフィルタ装置。【選択図】図１
0003204935.tif 000002
【実用新案登録請求の範囲】
【請求項１】
溶融状態の成形材料を射出室に供給する供給通路内に配置されたフィルタ装置であって、
網状に形成されて前記供給通路内において一面が上流側に面し、他の一面が下流側に面するように配置されている網フィルタと、
前記供給通路内において前記網フィルタの下流側に配置され、複数の通孔が前記網フィルタに向かって開口するように形成されているブレーカープレートと、
前記網フィルタと前記ブレーカープレートとの間に配置されている整流手段とを備え、
前記整流手段は、
それぞれ前記網フィルタ側から前記ブレーカープレート側への供給方向と略直交する第１の方向に沿って延伸する複数の略板状体で、それぞれの板面が互いに略平行となるように前記第１の方向及び前記供給方向のいずれにも略直交する第２の方向に沿って、第１の所定間隔を空けて並ぶように配置されている複数の縦ブレード板を有する縦板部と、
前記縦板部の前記ブレーカープレート側に取付けられ、それぞれ前記第２の方向に沿って延伸する複数の略板状体で、それぞれの板面が互いに略平行となるように前記第１の方向に沿って、前記第１の所定間隔より広い第２の所定間隔を空けて並ぶように配置されている複数の横ブレード板を有する横板部とを備えるように配置構成されていることを特徴とするフィルタ装置。
【請求項２】
前記整流手段が備える前記横板部における各前記横ブレード板は、前記第１の方向において所定の厚さを有する横板本体と、前記横板本体から前記ブレーカープレート側への厚さが前記所定の厚さから徐々に先細に突起してから前記ブレーカープレートに当接する当接端部とを有することを特徴とする請求項１のフィルタ装置。
【請求項３】
前記整流手段が備える前記縦板部における各前記縦ブレード板は、前記第１の方向と直交する断面が菱形になっていることを特徴とする請求項１または請求項２に記載のフィルタ装置。
【請求項４】
前記整流手段が備える前記縦板部は、前記第２の方向に沿って各前記縦ブレード板を繋ぐ複数の連結バーを更に有しており、各前記連結バーの間には、前記第２の所定間隔より広い第３の所定間隔を空けて並ぶように配置されていることを特徴とする請求項１〜請求項３のいずれか一項に記載のフィルタ装置。
【請求項５】
前記整流手段は、前記縦板部及び前記横板部を保持する保持枠を更に備えており、前記保持枠の前記供給方向における厚さが３ｍｍ〜６ｍｍの範囲内にあり、前記第１の所定間隔が０．８ｍｍ〜４ｍｍの範囲内にあり、前記第２の所定間隔が６ｍｍ〜１５ｍｍの範囲内にあることを特徴とする請求項１〜請求項４のいずれか一項に記載のフィルタ装置。
【請求項６】
前記ブレーカープレートには、上流側へ突起して前記網フィルタ及び前記整流手段が取付けられている取付壁が更に形成されており、
前記取付壁は、前記整流手段が備えた前記保持枠の外周面に当接する内周面と、前記内周面に凹設されて前記網フィルタの周縁を受入れて係止する保持溝とを有していることを特徴とする請求項５に記載のフィルタ装置。
【請求項７】
それぞれ第１の方向に沿って延伸する複数の略板状体で、それぞれの板面が互いに平行となるように前記第１の方向と略直交する第２の方向に沿って、第１の所定間隔を空けて並ぶように配置されている複数の縦ブレード板を有する縦板部と、
前記縦板部の前記第１の方向及び前記第２の方向のいずれにも略直交する供給方向における一側に取付けられ、それぞれ前記第２の方向に沿って延伸する複数の略板状体で、それぞれの板面が互いに略平行となるように前記第１の方向に沿って、前記第１の所定間隔より広い第２の所定間隔を空けて並ぶように配置されている複数の横ブレード板を有する横板部とを備えるように配置構成されていることを特徴とする整流手段。
【請求項８】
前記第１の所定間隔は０．８ｍｍ〜４ｍｍの範囲内にあり、前記第２の所定間隔は６ｍｍ〜１５ｍｍの範囲内にあることを特徴とする請求項７に記載の整流手段。
【請求項９】
前記横板部における各前記横ブレード板は、前記第１の方向において所定の厚さを有する横板本体と、前記横板本体から該横ブレード板の前記縦板部に面する側の反対側への厚さが前記所定の厚さから徐々に先細に突起する当接端部とを有することを特徴とする請求項７または請求項８に記載の整流手段。
【請求項１０】
前記整流手段が備える前記縦板部における各前記縦ブレード板は、前記第１の方向と直交する断面が菱形になっていることを特徴とする請求項７〜請求項９のいずれか一項に記載の整流手段。
【考案の詳細な説明】
【技術分野】
【０００１】
本考案はフィルタ装置に関し、特に、射出成型用のフィルタ装置及び整流手段に関する。
【背景技術】
【０００２】
プラスチック射出成型に使用される従来のフィルタ装置は、例えば溶融状態の成型材料である溶融プラスチックを射出室に供給する供給通路内に配置され、前記供給通路内において一面が上流側に面し、他の一面が下流側に面するように配置されている網状の網フィルタと、前記供給通路内において前記網フィルタの下流側に配置されるブレーカープレートとを備えたものがある。
【０００３】
前記ブレーカープレートは、前記網フィルタと隣接して前記網フィルタを下流側から支持する壁面を有し、そして上流側に向かって開口するように前記壁面を貫通する複数の通孔が形成されている。これによって従来のフィルタ装置は、溶融プラスチックに混ざる不純物などを前記網フィルタでろ過し、更に前記ブレーカープレートの前記通孔でろ過された溶融プラスチックを整流してから成型用の金型などへ導入することで、良質な製品を生産できる。
【考案の概要】
【考案が解決しようとする課題】
【０００４】
しかし、ブレーカープレートの壁面に当たる溶融プラスチックは、流速が激減するため一部が通孔に案内されずに網フィルタを構成する糸とブレーカープレートの壁面との間にある隙間に留まって溜まってしまうことがあり、そのため該溶融プラスチック全体の流動効率に悪影響をも及ぶことになる。しかも付着した該溶融プラスチックの体積が次第に増えると、網フィルタの網目を塞いでろ過効率まで悪化させる恐れがあるため、該網フィルタを頻繁に清掃しなくではならないという難点もある。
【０００５】
上記問題点に鑑みて、本考案は、溶融状態の成型材料が付着することを抑制できる整流手段を備えたフィルタ装置及び、該整流手段の提供を目的とする。
【課題を解決するための手段】
【０００６】
上記目的を達成すべく、本考案のフィルタ装置は、溶融状態の成形材料を射出室に供給する供給通路内に配置されたフィルタ装置であって、網状に形成されて前記供給通路内において一面が上流側に面し、他の一面が下流側に面するように配置されている網フィルタと、前記供給通路内において前記網フィルタの下流側に配置され、複数の通孔が前記網フィルタに向かって開口するように形成されているブレーカープレートと、前記網フィルタと前記ブレーカープレートとの間に配置され、それぞれ前記網フィルタ側から前記ブレーカープレート側への供給方向と略直交する第１の方向に沿って延伸する複数の略板状体で、それぞれの板面が互いに略平行となるように前記第１の方向及び前記供給方向のいずれにも略直交する第２の方向に沿って、第１の所定間隔を空けて並ぶように配置されている複数の縦ブレード板を有する縦板部と、前記縦板部の前記ブレーカープレート側に取付けられ、それぞれ前記第２の方向に沿って延伸する複数の略板状体で、それぞれの板面が互いに略平行となるように前記第１の方向に沿って、前記第１の所定間隔より広い第２の所定間隔を空けて並ぶように配置されている複数の横ブレード板を有する横板部とを備えるように配置構成される前記整流手段とを備えていることを特徴とする。
【０００７】
また、本考案の整流手段は、それぞれ第１の方向に沿って延伸する複数の略板状体で、それぞれの板面が互いに平行となるように前記第１の方向と略直交する第２の方向に沿って、第１の所定間隔を空けて並ぶように配置されている複数の縦ブレード板を有する縦板部と、前記縦板部の前記第１の方向及び前記第２の方向のいずれにも略直交する供給方向における一側に取付けられ、それぞれ前記第２の方向に沿って延伸する複数の略板状体で、それぞれの板面が互いに略平行となるように前記第１の方向に沿って、前記第１の所定間隔より広い第２の所定間隔を空けて並ぶように配置されている複数の横ブレード板を有する横板部とを備えるように配置構成されていることを特徴とする。
【考案の効果】
【０００８】
上記構成によれば、本考案のフィルタ装置は、それぞれ前記網フィルタ側から前記ブレーカープレート側への供給方向と略直交する第１の方向に沿って延伸する複数の略板状体で、それぞれの板面が互いに略平行となるように前記第１の方向及び前記供給方向のいずれにも略直交する第２の方向に沿って間隔を空けて並ぶように配置されている複数の縦ブレード板を有する縦板部と、前記縦板部の前記ブレーカープレート側に取付けられ、それぞれ前記第２の方向に沿って延伸する複数の略板状体で、それぞれの板面が互いに略平行となるように前記第１の方向に沿って間隔を空けて並ぶように配置されている複数の横ブレード板を有する横板部とを備えるように配置構成されている整流手段を更に備えているので、該整流手段を通過する流体をブレーカープレートの通孔に案内して成形材料の付着を有効に抑制することができる。
【図面の簡単な説明】
【０００９】
【図１】本考案のフィルタ装置の第１実施形態が示されている説明図である。
【図２】本考案のフィルタ装置の第１実施形態が示されている断面図である。
【図３】本考案の整流手段の第１実施形態が示されている正面図である。
【図４】本考案の第１実施形態における整流手段の図３における切断線ＩＶによる断面図である。
【図５】図４の一部拡大断面図である。
【図６】本考案の第１実施形態における整流手段の図３における切断線ＶＩによる一部拡大断面図である。
【図７】本考案のフィルタ装置の第２実施形態が示されている断面図である。
【図８】図７の一部拡大断面図である。
【図９】本考案の整流手段の第２実施形態が示されている正面図である。
【図１０】本考案の整流手段の第２実施形態が図８の切断線ＶＩＩＩに沿って示されている断面図である。
【考案を実施するための形態】
【００１０】
以下、図１〜６を参照しながら、本考案のフィルタ装置の第１実施形態について詳しく説明する。まず、図１は該フィルタ装置の第１実施形態の構成が示されている説明図である。図２は該フィルタ装置の第１実施形態の構成が示されている断面図である。
【００１１】
本考案のフィルタ装置は、例えば溶融プラスチックなどの溶融状態の成形材料を射出室に供給する供給通路９０内に配置されるものであり、供給通路９０の上流側に配置される網フィルタ１と、供給通路９０の下流側に配置されるブレーカープレート２と、網フィルタ１とブレーカープレート２との間に配置されている整流手段３とを備えている。
【００１２】
網フィルタ１は、網状に形成され、供給通路９０内において一面が上流側に面し、他の一面が下流側に面するように配置されている。そして網フィルタ１としては、６０メッシュ〜３００メッシュの範囲内にあるものを用いること好ましい。なお、本考案において、網フィルタ１の構成に関しては特に制限はなく、様々な変更を加えることができる。例えば、数量を変更することや、メッシュ数の異なる網フィルタを組み合わせることなども可能である。
【００１３】
ブレーカープレート２は、供給通路９０内において網フィルタ１の下流側に配置され、網フィルタ１に向かって開口する複数の通孔２１が形成されている。
【００１４】
次いで、図３〜６を参照しながら、本考案のフィルタ装置の第１実施形態における整流手段３の構成について詳しく説明する。図３は第１実施形態における整流手段３の全体的構成が示されている正面図である。図４は図３における切断線ＩＶによる断面図であり、図５は図４の一部拡大断面図であり、図６は図３における切断線ＶＩによる一部拡大断面図である。
【００１５】
図３と図４に示されるように、整流手段３は、縦板部３２と、縦板部３２のブレーカープレート２側に取付けられ横板部３３と、縦板部３２及び横板部３３を保持する保持枠３１とを備えている。
【００１６】
縦板部３２は複数の縦ブレード板３２１を有するように構成されたものであり、各縦ブレード板３２１は、それぞれ網フィルタ１側からブレーカープレート２側への供給方向Ｚと直交する第１の方向Ｙに沿って延伸する複数の略板状体で、それぞれの板面が互いに平行となるように第１の方向Ｙ及び供給方向Ｚのいずれにも直交する第２の方向Ｘに沿って、第１の所定間隔の隙間を空けて並ぶように配置されている。なお、第１の所定間隔は、０．８ｍｍ〜４ｍｍの範囲内にあることが好ましい。また、図６に示されるように、各縦ブレード板３２１は、第１の方向Ｙと直交する断面が菱形になっている。この構造と外形によって各縦ブレード板３２１は、上流側へ先細に突出し、そして下流側へも先細に突出する断面形状により、上流側から流れて来て各縦ブレード板３２１を通過する流体に渦や乱流を生じさせないように容易に第２の方向Ｘにおける両側に流れるように案内することができる。
【００１７】
横板部３３は、縦板部３１のブレーカープレート２側に取付けられ、複数の横ブレード板３３１を有するように構成されたものであり、各横ブレード板３３１は、それぞれ第２の方向Ｘに沿って延伸する複数の略板状体で、それぞれの板面が互いに平行となるように第１の方向Ｙに沿って、第１の所定間隔より広い第２の所定間隔の隙間を空けて並ぶように配置されている。なお、第２の所定間隔は、６ｍｍ〜１５ｍｍの範囲内にあることが好ましい。このように配置された横板部３３は、縦板部３１を支持して構造の強化効果を発揮することができる。また、図５に示されるように、各横ブレード板３３１は、第１の方向Ｙにおいて所定の厚さを有する横板本体３３２と、横板本体３３２から上流側（図５における左側）へ先細に突出して各縦ブレード板３２１と連接する連接端部３３３と、下流側（図５における右側）もブレーカープレート２側への厚さが前記所定の厚さから徐々に先細に突起してからブレーカープレート２に当接する当接端部３３４を有している。各横ブレード板３３１のこの形状により、上流側から流れて来て各横ブレード板３３１を通過する流体に渦や乱流を生じさせないように容易に第１の方向Ｙにおける両側に案内することができる。
【００１８】
この実施形態において保持枠３１は、網フィルタ１の外縁形状に合わせて形成され、整流手段３の相対向する両面がそれぞれ網フィルタ１及びブレーカープレート２と密接しており、そして図４に示すように供給方向Ｚにおける厚さｔが５ｍｍである。ただし、本考案はこの実施形態の構成により制限されることなく、例えば保持枠３１の厚さｔは３ｍｍ〜６ｍｍの範囲内に適宜変更可能である。
【００１９】
上記構成により、本考案のフィルタ装置は供給通路９０に供給される溶融プラスチックを、網フィルタ１でろ過してから、整流手段３の縦板部３２及び横板部３３を用いて通過する溶融プラスチックの流れを案内して整流するので、整流手段３を通過する溶融プラスチックを、整流手段３とブレーカープレート２の壁面との間にある隙間に溜まることなくブレーカープレート２の各通孔２１にスムーズに案内することができる。
【００２０】
以下、図７と図８を参照しながら、本考案のフィルタ装置の第２実施形態について詳しく説明する。図７は該フィルタ装置の第２実施形態が示されている断面図であり、そして図８は図７の一部拡大断面図である。
【００２１】
本考案のフィルタ装置の第２実施形態は、第１実施形態と類似する構成になっているが、ブレーカープレート２の構造が異なっている。第２実施形態におけるブレーカープレート２には、上流側へ突起して網フィルタ１及び整流手段３が取付けられている取付壁２２が形成されている。更に取付壁２２は、整流手段３が有する保持枠３１の外周面に当接する内周面２２１と、内周面２２１に凹設されて網フィルタ１の周縁を受入れて係止する保持溝２２２とを有している。これらの構造により、本考案のフィルタ装置では、網フィルタ１及び整流手段３はブレーカープレート２に安定に取付けることができる。
【００２２】
次は、図９と図１０を参照しながら本考案の整流手段３の構成の変化例について詳しく説明する。図９はこの変化例の正面図であり、図１０は図９のにおける切断線ＶＩＩＩによる断面図である。
【００２３】
図９に示されるように、この変化例において整流手段３の構造は第１実施形態と類似するものの、縦板部３２が有する複数の縦ブレード板３２１の間には、第２の方向Ｘに沿って隣り合う２つの縦ブレード板３２１を繋ぐ連結バー３２３が複数形成されている所が異なっている。
【００２４】
なお、図９に示されるように、隣り合う縦ブレード板３２１の間には第１の方向Ｙに沿って略長方形の隙間を介して、隙間と交互に形成されている各連結バー３２３の間には、各横ブレード板３３１の間隔である第２の所定間隔より広い第３の所定間隔を空けて並ぶように配置されている。なお、この実施形態では、連結バー３２３は、各横ブレード板３３１の前記所定の厚さより細く形成されており、そして図１０に示されるように、上流側に位置する各連結バー３２３における一部は、供給方向Ｚにおいて下流側で対応する横ブレード板３３１と連結している。この構造により、縦板部３２は連結バー３２３を介して横板部３３と連結する箇所の面積が増え、整流手段３全体の構造的強度が高られている。
【００２５】
本実施形態において該第３の所定間隔は前記第２の所定間隔の３倍になっているが、無論適宜変更は可能である。更に、第２の方向Ｘにおいて並べられている隣り合う縦ブレード板３２１の間に形成された各連結バー３２３は、第２の方向Ｘに沿って連続しないように隙間と交互に千鳥配列で並べられている。このため、この変化例において、各縦ブレード板３２１に加え、各縦ブレード板３２１同士をＸ方向に沿って複数の連結バー３２３が連結し、縦板部３２全体は一体化されている。
【００２６】
以上の各実施形態によれば、上記構成によれば、本考案のフィルタ装置は、それぞれ網フィルタ側１からブレーカープレート２側への供給方向と略直交する第１の方向Ｙに沿って延伸する複数の略板状体で、それぞれの板面が互いに略平行となるように第１の方向Ｙ及び供給方向Ｚのいずれにも略直交する第２の方向Ｘに沿って間隔を空けて並ぶように配置されている複数の縦ブレード板３２１を有する縦板部３２と、縦板部３２のブレーカープレート２側に取付けられ、それぞれ第２の方向Ｘに沿って延伸する複数の略板状体で、それぞれの板面が互いに略平行となるに第１の方向Ｙに沿って間隔を空けて並ぶように配置されている複数の横ブレード板３３１を有する横板部３３とを備えるように配置構成されている整流手段３を更に備えているので、該整流手段３を通過する流体をブレーカープレート２の各通孔２１に案内して成形材料の付着を有効に抑制することができ、フィルタ装置を分解して清掃する頻度も抑えることができる。
【００２７】
以上、本考案の好ましい実施形態を説明したが、本考案はこれに限定されるものではなく、その要旨を逸脱しない範囲で種々変更可能である。
【産業上の利用可能性】
【００２８】
上記構成によれば、本考案のフィルタ装置は、整流手段３の追加により成型材料の付着を有効に抑制することができるため、部材を分解して清掃する頻度が抑えることができるので、付着しやすい成型材料を金型に供給する押出機などに用いて生産効率を改善する効果が得られる。
【符号の説明】
【００２９】
１      網フィルタ
２      ブレーカープレート
２１    通孔
２２    取付壁
２２１  内周面
２２２  保持溝
３      整流手段
３１    保持枠
３２    縦板部
３２１  縦ブレード板
３２３  連結バー
３３    横板部
３３１  横ブレード板
３３２  横板本体
３３３  連接端部
３３４  当接端部
９０    供給通路
Ｚ      供給方向
Ｙ      第１の方向
Ｘ      第２の方向
ｔ      厚さ
【図１】
0003204935.tif 000003
【図２】
0003204935.tif 000004
【図３】
0003204935.tif 000005
【図４】
0003204935.tif 000006
【図５】
0003204935.tif 000007
【図６】
0003204935.tif 000008
【図７】
0003204935.tif 000009
【図８】
0003204935.tif 000010
【図９】
0003204935.tif 000011
【図１０】
0003204935.tif 000012